(57)【要約】【課題】本発明は、部材の少ないバックルを提供する。【解決手段】バックル本体４Ａと、バックル本体４Ａに傾動可能に取り付けられる解除部材４Ｂを有するバックル４であって、バックル本体４Ａは、一端に揺動可能で、バンド３の凹凸部１，２と係合可能な係合部１０を有する自由端９を有する弾性部材７と、バンド３が挿通される第１開口１９と第２開口１４と、自由端９と第２開口１４の間に解除部材４Ｂを挿入するための第１空間２０と、弾性部材７の上下面の接触空間が成型時金型を挿入するできる空間である第２空間２１を有し、解除部材４Ｂは、一端に操作部１６有する天井板１１と、天井板１１に対向している底板１７と天井板１１と底板１７を連結する足１８と、操作部１６とばね足１８の間に弾性部材７の自由端９と係合可能な解除部１５とを有するバックル。【選択図】図１
2019198460.tif 000002
【特許請求の範囲】
【請求項１】
凹凸部（１，２）を有するバンド（３）の一端を固定するためにバンド（３）の他端にバンド（３）と一体成型されたバックル本体（４Ａ）と、
バックル本体（４Ａ）に傾動可能に取り付けられる解除部材（４Ｂ）を
有するバックル（４）であって、
バックル本体（４Ａ）は、
一端に揺動可能で、凹凸部（１，２）と係合可能な係合部（１０）を有する自由端（９）を有する弾性部材（７）と
バンド（３）が係合部（１０）を通過する前にバンド（３）が挿通される第１開口（１９）と、
バンド（３）が係合部（１０）を通過した後にバンド（３）が挿通される第２開口（１４）と、
自由端（９）と第２開口（１４）の間に解除部材（４Ｂ）を挿入するための第１空間（２０）と
弾性部材（７）の上下面の接触空間が成型時金型を挿入するできる空間である第２空間（２１）を有し、
解除部材（４Ｂ）は、
一端に操作部（１６）を有する天井板（１１）と
天井板（１１）に対向している底板（１７）と
天井板（１１）と底板（１７）を連結するばね足（１８）と
操作部（１６）とばね足（１８）の間に弾性部材（７）の自由端（９）と係合可能な解除部（１５）とを有するバックル。
【発明の詳細な説明】
【技術分野】
【０００１】
この発明は、凹凸部を有するバンドまたはベルトを係止するためのバックルに関し、特に、ヘルメットのヘッドバンド、時計バンド、鞄または靴用のバンドまたはベルトと一緒に用いられるバックルに関するものである。
【背景技術】
【０００２】
今まで、種々の凹凸部を有するバンドまたはベルトを係止するためのバックルや、バックルを有するヘルメット用バックル付バンド等の提案がなされている。
【０００３】
例えば、特許文献１に記載されたヘルメット用バックルは、一方のバンド端部に位置する保持部と、保持部に保持されて保持部に向けて付勢されるバンド係止部材と、バンド係止部材に対して傾動可能に連結された解除部材を備える。そして、保持部とバンド係止部材との間に位置する他方のバンド端部は、バンド係止部材による付勢によって保持部とバンド係止部材との間に留められる。この際、解除部材を傾動させる操作によってバンド係止部材に対する付勢が解除され、他方のバンド端部の位置がバンド係止部材に対して変わることによって、ヘルメット用ヘッドバンドが作る環の大きさが頭部の大きさに合わせられる。
【０００４】
特許文献１のバックルは、保持部、バンド係止部材、解除部材の３つの部材からなるが、この部材を減らす目的で、特許文献２の発明がなされた。特許文献２には、特許文献１の保持部に相当する第１樹脂部材と、特許文献１のバンド係止部材と解除部材を兼ねた第２樹脂部材を有するバックルが開示されている。第２樹脂部材には、自由端が、第１樹脂部材にある掛け留め部に掛けられ、固定端が、第１樹脂部材にある軸支部により支持される樹脂ばねがあり、これにより第１樹脂部材と第２樹脂部材が、相互に近付ける方向に付勢可能となっている。そして、ばね樹脂の固定端を傾動中心として、第２樹脂部材を第
１樹脂部材に対して相対的に傾動させることにより、第１樹脂部材と第２樹脂部材に隙間で、樹脂ばねの付勢による留め歯の押圧を解除する。
【先行技術文献】
【特許文献】
【０００５】
【特許文献１】特開２０１３−１０２８３９公報
【特許文献２】特開２０１７−８２３６８公報
【発明の概要】
【発明が解決しようとする課題】
【０００６】
本発明は、特許文献２と別の構成により、バックルの部材数を減らすことを目的とする。
【課題を解決するための手段】
【０００７】
即ち、本発明は、凹凸部１，２を有するバンド３の一端を固定するためにバンド３の他端にバンド３と一体成型されたバックル本体４Ａと、バックル本体４Ａに傾動可能に取り付けられる解除部材４Ｂを有するバックル４であって、バックル本体４Ａは、一端に揺動可能で、凹凸部１，２と係合可能な係合部１０を有する自由端９を有する弾性部材７と、バンド３が係合部１０を通過する前にバンド３が挿通される第１開口１９と、バンド３が係合部１０を通過した後にバンド３が挿通される第２開口１４と、自由端９と第２開口１４の間に解除部材４Ｂを挿入するための第１空間２０と、弾性部材７の上下面の接触空間が成型時金型を挿入するできる空間である第２空間２１を有し、解除部材４Ｂは、一端に操作部１６有する天井板１１と、天井板１１に対向している底板１７と天井板１１と底板１７を連結する足１８と、操作部１６とばね足１８の間に弾性部材７の自由端９と係合可能な解除部１５とを有するバックルである。  
【発明の効果】
【０００８】
本発明によれば、バックルの部材の点数を少なくすることが可能である。
【図面の簡単な説明】
【０００９】
【図１】本発明の一実施形態のバックルを示す斜視図である。
【図２】図１のバックルにバンドを挿入したときの断面図である。
【発明を実施するための形態】
【００１０】
以下、図面を参照しながら、本発明について説明する。
図１は、本発明のバックルの一実施形態を示す斜視図である。図２は、図１のバックルにバンドを挿入したときの断面図である。バックル４はバックル本体４Ａと解除部材４Ｂを有する。バックル本体４Ａは、帯状のバンド３の一端を固定するため、バンド３の他端に一体成形されている。バンド３の一端のバックル４と同じ側の表面には、図２に示すように、バンド幅方向に延びる凹部１と凸部２が交互に多数形成されている。
【００１１】
バックル本体４Ａは、底枠５と底枠５上のバンド幅方向の縁部にバンド長手方向に形成される一対の側壁部６と一対の側壁部６の一端を連結する入口側壁６Ａを有し、これらにより、バンド長手方向にバンド３を挿通されるスロット状の第１開口１９が形成されている。第１開口１９に挿入されたバンド３は、底枠５によって支持される。また、一対の側壁部６の他端を連結する出口側壁部６Ｂを有し、底枠５と一対の側壁部６と出口側壁部６Ｂで、バンドの挿通されるスロット状の第２開口１４を形成している。バンド３は、係合部１０を通過した後、底枠５により支持されている。
【００１２】
一対の側壁部６の間には、バンド３が挿通されたとき、ほぼバンド３と平行にバンド長手方向に延びる板バネ状の弾性部材７が設けられている。本実施例では、弾性部材７の一端は固定端８として一対の側壁部６に連結されているが、入口側壁部６Ａに連結されていてもいい。出口側壁部６Ｂに近い弾性部材７の他端は上下に揺動可能な自由端９となっている。
【００１３】
弾性部材７は、全長に亘ってほぼ一定の肉厚を有し、その肉厚はバンド３をバンド引き抜き方向に強く引っ張っても係合部１０が容易には持ち上がらない程度の弾性力が得られるように設定されている。ただし、弾性部材７の肉厚は一定でなくてもよく、例えば、自由端９から固定端８に向かうにつれ厚くなるように形成し、弾性力をさらに向上させてもよい。弾性部材７は、係合部１０がバンド３を常に押さえつけるように形成されていてもよいし、凹部１と係合部１０が噛み合いはするがバンド３を押さえつける付勢力は生じないように形成されていてもよい。
【００１４】
出口側壁部６Ｂと自由端９との間には、一定の間隙があけられ、解除部４Ｂが挿入できる第１空間２０となっている。
弾性部材７の上下面に接触する空間は、解除部４Ｂが挿入される前は、金型が挿入できるように第２空間２１が形成されている。
【００１５】
自由端９の下面には、バンド幅方向に延びる係合部１０が形成され、第１開口１９に沿ってバンド３を挿入すると、この係合部１０がバンド上面のいずれかの凹部１に嵌まり、バンド３が抜けないようになっている。この係合状態を確保する点から、係合部１０は係止爪とすることが好ましい。  
一対の側壁部６と入口側壁部６Ａと出口側壁部６Ｂで囲まれる内側には、バンド３を解放するための矩形状の解除部材４Ｂが配置されている。解除部材４Ｂは、天井板１１とそれに対向する底板１７、天井板１１と底板１７を連結する一対のばね足１８を有する。天井板１１の一端が操作部１６である。この実施態様においては、操作部１６は、指が引っかかりやすいように上面のバンドの幅方向の縁部が飛び出た形状となっている。
【００１６】
一対のばね足１８は、天井板１１の下面のバンド幅方向の縁部から下に向かって延び、底板１７に連結している。一対のばね足１８のバンド長手方向の位置は、操作部１６が引き上げやすいように操作部１６より離れた位置が好ましく、天井板１１の他端部１２、あるいはその近傍が好ましい。
ばね足１８は、直線状でもいいが、操作部１６が引き上げやすいように操作部１６に向かってへこんだように湾曲しているのが好ましい。
本実施形態では、天井板１１の上方向のぶれを防止するために他端部１２の下面に、バンドの幅方向に一定幅をもって下に出っ張った形状を有し、出口側壁６Ｂの内側面に設けられたバンド幅方向一定幅で水平に出っ張った他端支持部１３に支持されている。
【００１７】
操作部１６とばね足１８の間の天井板１１の下面には、弾性部材７の自由端９と係合可能な略Ｌ字状の解除部１５がバンドの幅方向に形成されている。解除部１５のＬ字の自由端９に係合する部分が弾性部材７の自由端９の下面に沿って係合部１０の近傍まで延びている。操作部１６を引きあげると解除部１５が持ち上がり、さらに弾性部材７の自由端９が持ち上げられる。これにより、係合部１０がバンド３の凹部１から外れ、バンド３の係止が解除される。
【００１８】
解除部材４Ｂは、底板１７を、弾性部材７の自由端９、一対の側壁部６と出口側壁部１８で囲まれる第１空間２０からＡ方向に挿入され、他端部１２を、他端支持部１３に当接させ、底枠５の上に置かれる。そうすることにより底枠５で囲まれ、第２空間２１で弾性部材７の下面に接触している空間がふさがれ、ヘルメット着用時の髪の毛のバンドによる巻き込みが防止される。
【００１９】
バンド３に形成されている凹部１および凸部２は、図２に示すように、バンド長手方向に沿う断面において鋸歯状となっている。すなわち、凸部２のバンド引き抜き方向に向かう面がほぼ垂直であり、バンド挿入方向に向かう面が傾斜面とされている。これに対応して、係止爪１０の断面形状も、バンド引き抜き方向に向かう面が傾斜面であり、バンド挿入方向に向かう面がほぼ垂直面とされている。これにより、バンド３をバックル４へ挿入するときには、係合部１０の傾斜面が凸部２の傾斜面に沿って滑り、弾性部材７が持ち上がって係合部１０が凸部２を乗り越えていく。逆に、バンド３をバックル４から引き抜こうとすると、係合部１０の垂直面が凸部２の垂直面に当接し、弾性部材７が持ち上がることなく、バンド３の抜けが防止される。
【００２０】
バンド３の凹部１および凸部２と、弾性部材７の係合部１０の形状は、上記構造に限定されず様々な変形が可能である。例えば、バンド３の凹部１は、バンド３に一定間隔毎に多数形成された孔であってもよく、その場合には、係合部１０は孔に嵌合する、例えば、先端が丸みを帯びた棒状の突起であってもよい。また、凹部１及び凸部２の断面形状はサイン波形状、三角波形状等の波形であってもよく、その場合には係合部１０が爪状もしくはそれぞれに対する相補形状等であってもよい。
【００２１】
バックル本体４Ａおよび解除部材４Ｂの材質は限定されないが、ポリエチレン、ポリプロピレン等の一般的な樹脂を使用して成形することで十分な強度と弾性力が確保できる。
【符号の説明】
【００２２】
１  バンドの凹部
２  バンドの凸部
３  バンド
４  バックル
４Ａ  バックル本体
４Ｂ  解除部材
５  底枠
６  側壁部
６Ａ  入口側壁部
６Ｂ  出口側壁部
７  弾性部材
８  固定端
９  自由端
１０  係合部
１１  天井板
１２  他端部
１３  他端支持部
１４  第２開口
１５  解除部
１６  操作部
１７  底板
１８  ばね足
１９  第１開口
２０  第１空間
２１  第２空間
【図１】
2019198460.tif 000003
【図２】
2019198460.tif 000004